【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
遊技機側の内部装置と、該内部装置との間で所定の信号の伝達を行う外部装置と、からなる遊技機の情報伝達システムであって、
前記内部装置と前記外部装置との間の信号の伝達が、前記内部装置と前記外部装置とを結ぶ伝送路上に配置された半導体リレーを介して行われるよう構成され、
該半導体リレーは、該半導体リレーに入力される入力信号に応答して半導体スイッチ素子を駆動させる駆動信号を発生する駆動部と、該駆動部とは電気的に絶縁されつつも該駆動部からの駆動信号の入力に応じてオン／オフ動作する半導体スイッチ素子と、からなり、
前記内部装置と前記外部装置との間で伝達される情報の種類に対応した起動信号が入力されると、該起動信号の種類毎に異なる特性の信号を前記入力信号として前記駆動部に出力する信号出力手段を備えたことを特徴とする遊技機の情報伝達システム。
【請求項２】
前記信号出力手段は、
前記駆動部が電気的に接続された回路上に所定のキャリア信号を出力するキャリア信号出力手段と、
前記起動信号が入力されると、前記キャリア信号出力手段が出力した前記キャリア信号に対して前記起動信号の種類毎に異なる特性の信号を重畳し、前記駆動部が電気的に接続された回路上に前記入力信号として出力する信号重畳手段と、
を有することを特徴とする請求項１に記載の遊技機の情報伝達システム。
【請求項３】
前記信号重畳手段は、前記起動信号が入力されると、前記起動信号に対応した特定の形式で前記キャリア信号を断続させる断続信号を前記キャリア信号に重畳して出力するものであることを特徴とする請求項２に記載の遊技機の情報伝達システム。
【請求項４】
前記半導体スイッチ素子が電気的に接続された回路上に前記半導体スイッチ素子のオン／オフ動作に対応した信号として出力された信号から、前記内部装置と前記外部装置との間で伝達される夫々の情報に対応した夫々の信号を分離して抽出する信号抽出手段を更に備えたことを特徴とする請求項１〜３のいずれかに記載の遊技機の情報伝達システム。
【請求項５】
前記駆動部は、前記入力信号に応答して前記駆動信号としての光信号を発生する発光素子を有し、前記半導体スイッチ素子は、前記発光素子からの光信号の入力に応じてオン／オフ動作するＭＯＳＦＥＴを有する素子であることを特徴とする請求項１〜４のいずれかに記載の遊技機の情報伝達システム。
【手続補正２】
【補正対象書類名】明細書
【補正対象項目名】０００６
【補正方法】変更
【補正の内容】
【０００６】
【課題を解決するための手段及び発明の効果】
かかる目的を達成するためになされた請求項１に記載の発明は、遊技機側の内部装置と、該内部装置との間で所定の信号の伝達を行う外部装置と、からなる遊技機の情報伝達システムであって、前記内部装置と前記外部装置との間の信号の伝達が、前記内部装置と前記外部装置とを結ぶ伝送路上に配置された半導体リレーを介して行われるよう構成され、該半導体リレーは、該半導体リレーに入力される入力信号に応答して半導体スイッチ素子を駆動させる駆動信号を発生する駆動部と、該駆動部とは電気的に絶縁されつつも該駆動部からの駆動信号の入力に応じてオン／オフ動作する半導体スイッチ素子と、からなり、前記内部装置と前記外部装置との間で伝達される情報の種類に対応した起動信号が入力されると、該起動信号の種類毎に異なる特性の信号を前記入力信号として前記駆動部に出力する信号出力手段を備えたことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、本発明の遊技機の情報伝達システムは、上述のように、前記内部装置と前記外部装置との間で伝達される情報の種類に対応した起動信号が入力されると、該起動信号の種類毎に異なる特性の信号を前記入力信号として前記駆動部に出力する信号出力手段を備えている。
【手続補正７】
【補正対象書類名】明細書
【補正対象項目名】００１７
【補正方法】変更
【補正の内容】
【００１７】
請求項１に記載の遊技機の情報伝達システムによれば、内部装置と外部装置とを結ぶ１の伝送路にて複数種類の情報に対応した複数種類の信号を伝達させることが可能となる。そして、このように内部装置と外部装置との間で複数種類の情報を伝達させる場合には、従来の遊技機の情報伝達システムの場合に比べ、内部装置と外部装置とを結ぶ伝送路の数を少なくすることができる。
【手続補正８】
【補正対象書類名】明細書
【補正対象項目名】００２０
【補正方法】変更
【補正の内容】
【００２０】
一方、請求項１に記載のような信号出力手段を設ければ、内部装置と外部装置との間で伝達される情報の種類に対応した態様の起動信号が信号出力手段に入力された場合に、当該起動信号の種類毎に異なる特性を有する入力信号が信号出力手段から駆動部に出力される。この場合、駆動部からは、入力信号の特性に応じた特性を有する駆動信号が半導体スイッチ素子に入力され、半導体スイッチ素子は該駆動信号の特性に応じたオン／オフ動作をする。
【手続補正９】
【補正対象書類名】明細書
【補正対象項目名】００２１
【補正方法】変更
【補正の内容】
【００２１】
即ち、請求項１に記載の遊技機の情報伝達システムでは、内部装置と外部装置との間で伝達される情報の種類毎に異なる態様で半導体スイッチ素子にオン／オフ動作をさせることで、内部装置と外部装置とを結ぶ１の伝送路にて複数種類の情報に対応した複数種類の信号を伝送させることができる。
【手続補正１０】
【補正対象書類名】明細書
【補正対象項目名】００２２
【補正方法】変更
【補正の内容】
【００２２】
そして、請求項１に記載の情報伝達システムでは、このように１の伝送路にて複数種類の情報を伝達させることができる分だけ、従来の情報伝達システムの場合に比べ、内部装置と外部装置とを結ぶ伝送路の数を少なくすることができる。
ここで、信号出力手段の具体的態様としては、種々のものが考えられるが、例えば、請求項２に記載のように、前記信号出力手段は、前記駆動部が電気的に接続された回路上に所定のキャリア信号を出力するキャリア信号出力手段と、前記起動信号が入力されると、前記キャリア信号出力手段が出力した前記キャリア信号に対して前記起動信号の種類毎に異なる特性の信号を重畳し、前記駆動部が電気的に接続された回路上に前記入力信号として出力する信号重畳手段と、を有するものであっても良く、この態様においても上記請求項１に記載の遊技機の情報伝達システムと同様の効果が得られる。
【手続補正１１】
【補正対象書類名】明細書
【補正対象項目名】００２４
【補正方法】変更
【補正の内容】
【００２４】
従って、請求項２に記載の遊技機の情報伝達システムでも、内部装置と外部装置との間で伝達される情報の種類毎に異なる態様で半導体スイッチ素子がオン／オフ動作をすることになり、請求項１に記載の遊技機の情報伝達システムと同様の効果が得られる。
【手続補正１２】
【補正対象書類名】明細書
【補正対象項目名】００２５
【補正方法】変更
【補正の内容】
【００２５】
尚、上記の信号重畳手段の態様については特定のものに限定されないが、例えば、請求項３に記載の如く、前記信号重畳手段は、前記起動信号が入力されると、前記起動信号に対応した特定の形式で前記キャリア信号を断続させる断続信号を前記キャリア信号に重畳して出力するものであっても良い。
【手続補正１３】
【補正対象書類名】明細書
【補正対象項目名】００２６
【補正方法】変更
【補正の内容】
【００２６】
請求項３に記載の如く信号重畳手段を構成すれば、駆動部に入力される入力信号は、起動信号の種類毎に異なる形式でキャリア信号を断続させてなる信号となることから、入力信号（延いては、内部装置と外部装置との間で伝達される信号）のＳ／Ｎ比を比較的高くすることができ、内部装置と外部装置との間の信号伝達が好適に行われることになる。
【手続補正１４】
【補正対象書類名】明細書
【補正対象項目名】００２７
【補正方法】変更
【補正の内容】
【００２７】
一方、本発明の遊技機の情報伝達システムでは、請求項４に記載のように、前記半導体スイッチ素子が電気的に接続された回路上に前記半導体スイッチ素子のオン／オフ動作に対応した信号として出力された信号から、前記内部装置と前記外部装置との間で伝達される夫々の情報に対応した夫々の信号を分離して抽出する信号抽出手段を更に備えていても良い。
【手続補正１５】
【補正対象書類名】明細書
【補正対象項目名】００２８
【補正方法】変更
【補正の内容】
【００２８】
請求項４に記載の遊技機の情報伝達システムのように信号抽出手段を設ければ、例えば、内部装置と外部装置とを結ぶ１の伝送路にて複数種類の情報に対応した複数種類の信号が混信した状態で伝送されても、内部装置と外部装置との間で伝達される夫々の情報に対応した夫々の信号を分離・抽出できる。従って、内部装置と外部装置とを結ぶ１の伝送路を介して複数種類の情報を一度に伝達することが可能となり信号伝達の効率が良くなる。
尚、本発明の遊技機の情報伝達システムにおける上記半導体リレーの具体的態様としては種々のものが考えられるが、例えば、当該半導体リレーに入力信号が入力されると駆動信号としての光信号を発生する発光ダイオード等の発光素子を有するものとしての駆動部と、該発光素子からの光信号の入力に応じてオン／オフ動作するフォトダイオード又はフォトトランジスタを有する素子として構成された半導体スイッチ素子と、からなるもの（所謂フォトカプラ）であっても良い。
また、或いは、請求項５に記載の如く、上記の半導体リレーにおいて、前記駆動部は、前記入力信号に応答して前記駆動信号としての光信号を発生する発光素子を有し、前記半導体スイッチ素子は、前記発光素子からの光信号の入力に応じてオン／オフ動作するＭＯＳＦＥＴを有する素子であっても良い。
請求項５に記載の如く半導体リレーを構成すれば、当該半導体リレーにおける半導体スイッチ素子がＭＯＳＦＥＴを有する素子であり、ＭＯＳＦＥＴは当該ＭＯＳＦＥＴを動作させる駆動電流に対するスイッチング感度が一般に高い素子であることから、駆動部としての発光素子を発光ダイオード等として構成した場合には、当該発光素子に入力させる入力電流（入力信号）の大きさを上記のフォトカプラ等の場合に比べ小さくすることができ、本発明の遊技機の情報伝達システム全体の電力消費を低減させることができる。